【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射装置から発射された遊技球が打ち込まれて転動する遊技領域と、
該遊技領域を特定入球口が設けられる第１の遊技領域とその他の第２の遊技領域とに区画形成し、遊技球の相互移動を規制する枠状部材と、
該枠状部材に配設され、前記第１の遊技領域に遊技球を受け入れ可能な開放状態と前記第１の遊技領域への遊技球の受け入れを困難にする閉鎖状態との間で開閉動作可能な開閉可動部材と、
前記第１の遊技領域に進入した遊技球を、該第１の遊技領域の所定位置に誘導する第１誘導通路と第２誘導通路とに振分ける振分手段と、
前記第１誘導通路及び前記第２誘導通路によって所定位置に誘導された遊技球が前記特定入球口に受け入れられたことを検出する入球状態検出手段と、
前記第２の遊技領域に設けられ、遊技球を受け入れ可能な始動口と、
該始動口に遊技球が受け入れられたことを検出する始動検出手段と、
該始動検出手段により遊技球が受け入れられたことを検出したときに遊技者に有利な第１有利遊技状態と第２有利遊技状態とのいずれか一方を発生させることに決定する有利状態決定手段と、
該有利状態決定手段により前記第２有利遊技状態を発生させることに決定されたことに基づいて前記開閉可動部材を所定態様で開閉制御する前記第２有利遊技状態に制御する第２有利遊技状態制御手段と、
前記有利状態決定手段により前記第１有利状態を発生させることに決定されたこと及び前記第２有利遊技状態中に前記第１の遊技領域内に受け入れられた遊技球が前記特定入球口に受け入れられて前記入球状態検出手段によって検出されたことに基づいて前記第１有利遊技状態に制御する第１有利遊技状態制御手段と、
遊技状態に応じて所定の表示を行う表示手段と、
該表示手段の表示制御を行う表示制御手段と、を備え、
前記表示制御手段は、前記第２有利遊技状態中に前記第１の遊技領域に進入した遊技球が前記振分手段により前記第１誘導通路に振分けられたとき、第１誘導態様で前記表示手段を表示制御し、前記第１の遊技領域に進入した遊技球が前記振分手段により前記第２誘導通路に振分けられたとき、第２誘導態様で前記表示手段を表示制御することを特徴とする遊技機。
【請求項２】
前記表示制御手段は、前記有利状態決定手段により前記第１有利遊技状態と前記第２有利遊技状態とのいずれか一方に決定されたことに基づいて前記表示手段にて通常態様の表示制御を開始し、前記有利状態決定手段により前記第１有利遊技状態を発生させることに決定された場合、前記第１有利遊技状態制御手段により前記第１有利遊技状態の制御を開始する以前に前記通常態様の表示制御を終了して特定態様を導出表示し、前記有利状態決定手段により前記第２有利遊技状態を発生させることに決定された場合、前記第２有利遊技状態制御手段による前記第２有利遊技状態の制御を終了するとき及び前記第２有利遊技状態中に前記第１の遊技領域に遊技球が進入したことに基づいて前記第１誘導態様及び前記第２誘導態様の表示制御を開始するときに前記通常態様の表示制御を終了することを特徴とする請求項１記載の遊技機。
【請求項３】
前記振分手段は、前記第２有利遊技状態制御手段によって前記第２有利遊技状態の制御を開始してから該第２有利遊技状態の制御を終了するまでの期間のうち所定期間内に前記第１の遊技領域に進入した遊技球を前記第１誘導通路に振分け、前記所定期間以外の期間に前記第１の遊技領域に進入した遊技球を前記第２誘導通路に振分ける請求項１または請求項２に記載の遊技機。
【手続補正２】
【補正対象書類名】明細書
【補正対象項目名】０００７
【補正方法】変更
【補正の内容】
【０００７】
（解決手段１）
遊技盤（遊技盤５）の前面に形成され、発射装置（発射装置ユニット１９４）から発射された遊技球が打ち込まれて転動する遊技領域（遊技領域３７）と、
該遊技領域を特定入球口（特別入賞口９３）が設けられる第１の遊技領域（遊技領域３７のうち役物９１に囲まれる部分；第１の遊技領域３７ａ）とその他の第２の遊技領域（遊技領域３７のうち役物９１に囲まれていない部分；第２の遊技領域３７ｂ）とに区画形成し、遊技球の相互移動を規制する（例えば、役物９１と透明板５０との間隔を、遊技球が通過できない間隔となるように役物９１を配置する構成、役物９１の前面にガラス板又は透明樹脂板等を装着する構成、等により第２の遊技領域３７ｂから第１の遊技領域３７ａに遊技球が進入しないように規制するとともに第１の遊技領域３７ａから第２の遊技領域３７ｂに遊技球が進入しないように規制する）枠状部材（役物９１）と、
該枠状部材に配設され、前記第１の遊技領域に遊技球を受け入れ可能な開放状態（開状態）と前記第１の遊技領域への遊技球の受け入れを困難にする閉鎖状態（閉状態）との間で開閉動作可能な開閉可動部材（第１の可動片４５６）と、
前記第１の遊技領域に進入した遊技球を、該第１の遊技領域の所定位置に誘導する第１誘導通路（通路１０１ｂ）と第２誘導通路（通路１０１ａ）とに振分ける振分手段（振分け装置１０２）と、
前記第１誘導通路及び前記第２誘導通路によって所定位置に誘導された遊技球が前記特定入球口に受け入れられたことを検出する入球状態検出手段（大当たり受入センサ３２９）と、
前記第２の遊技領域に設けられ、遊技球を受け入れ可能な始動口（始動口９６）と、
該始動口に遊技球が受け入れられたことを検出する始動検出手段（始動口センサ３１８）と、
該始動検出手段により遊技球が受け入れられたことを検出したときに遊技者に有利な第１有利遊技状態（特別遊技）と第２有利遊技状態（補助遊技）とのいずれか一方を発生させることに決定する有利状態決定手段（ＣＰＵ３１４により特別図柄停止図柄設定処理のステップＳ２０１及びステップＳ２０２を実行して特定の停止図柄と通常の停止図柄とのいずれか一方に決定する部分）と、
該有利状態決定手段により前記第２有利遊技状態を発生させることに決定されたことに基づいて前記開閉可動部材を所定態様で開閉制御する前記第２有利遊技状態に制御する第２有利遊技状態制御手段（ＣＰＵ３１４により補助遊技処理（ステップＳ６００）を実行する部分）と、
前記有利状態決定手段により前記第１有利状態を発生させることに決定されたこと及び前記第２有利遊技状態中に前記第１の遊技領域内に受け入れられた遊技球が前記特定入球口に受け入れられて前記入球状態検出手段によって検出されたことに基づいて前記第１有利遊技状態に制御する第１有利遊技状態制御手段（ＣＰＵ３１４により大入賞口開放前処理（ステップＳ７００）、大入賞口開放中処理（ステップＳ８００）、及び大入賞口開放後処理（ステップＳ９００）を実行する部分）と、
遊技状態に応じて所定の表示を行う表示手段（演出表示装置１１５）と、
該表示手段の表示制御を行う表示制御手段（ＣＰＵ３５０により演出制御処理を実行する部分）と、を備え、
前記表示制御手段は、前記第２有利遊技状態中に前記第１の遊技領域に進入した遊技球が前記振分手段により前記第１誘導通路に振分けられたとき、第１誘導態様（例えば、キャラクタＡ５００がキャラクタＢ６００を押し出す態様）で前記表示手段を表示制御し、前記第１の遊技領域に進入した遊技球が前記振分手段により前記第２誘導通路に振分けられたとき、第２誘導態様（例えば、キャラクタＢ６００がキャラクタＡ５００を押し出す態様）で前記表示手段を表示制御することを特徴とする遊技機（パチンコ機１）。